(57)【要約】【課題】原稿台から原稿をより容易に取り除くことのできる画像読取装置を提供する。【解決手段】画像読取装置は、原稿を載置する第１面と当該第１面に対し反対側の第２面とを有する原稿台と、前記第１面に載置された原稿を前記第２面側から読み取る読取手段と、前記第１面の周囲を構成する四辺のうち一辺に対し配置されたフレームと、を備え、前記フレームの側面は、前記原稿台の側面と向き合っており、前記フレームの上面において前記フレームの側面に連なる第１領域は、前記第１面より高い位置から、前記原稿台の側面における、前記第１面よりも下側の位置に向かって下がる面で形成されている。前記フレームの上面と前記フレームの側面とが交わる位置である前記フレームの角部が面取りされている。【選択図】図５
2018085564.tif 000002
【特許請求の範囲】
【請求項１】
原稿を載置する第１面と当該第１面に対し反対側の第２面とを有する原稿台と、
前記第１面に載置された原稿を前記第２面側から読み取る読取手段と、
前記第１面の周囲を構成する四辺のうち一辺に対し配置されたフレームと、を備え、
前記フレームの側面は、前記原稿台の側面と向き合っており、
前記フレームの上面において前記フレームの側面に連なる第１領域は、前記第１面より高い位置から、前記原稿台の側面における、前記第１面よりも下側の位置に向かって下がる面で形成されている、
ことを特徴とする画像読取装置。
【請求項２】
請求項１に記載の画像読取装置において、前記フレームの上面と前記フレームの側面とが交わる位置である前記フレームの角部が面取りされている、
ことを特徴とする画像読取装置。
【請求項３】
請求項１または請求項２に記載の画像読取装置において、前記原稿台の前記第１面と前記原稿台の前記側面とが交わる位置である前記原稿台の角部が面取りされている、
ことを特徴とする画像読取装置。
【請求項４】
請求項１から請求項３のいずれか一項に記載の画像読取装置において、前記原稿台を支持する原稿台支持部を備え、
前記原稿台支持部は、前記第２面において前記原稿台の側面より内側を支持する、
ことを特徴とする画像読取装置。
【請求項５】
請求項４に記載の画像読取装置において、前記フレームを支持するフレーム支持部を備え、
前記原稿台支持部と前記第２面とを接着する接着シートが、前記フレームと前記フレーム支持部との間に延在し、前記フレームと前記フレーム支持部とを接着する、
ことを特徴とする画像読取装置。
【請求項６】
請求項１から請求項５のいずれか一項に記載の画像読取装置において、前記フレームの上面は、前記第１領域に連なり、前記第１領域を挟んで前記原稿台から遠い側に位置する第２領域を備え、
前記第２領域は、当該第２領域に原稿が接しつつ前記原稿台に向けてスライドされる際に、スライド方向の原稿の先端を、前記原稿台の前記第１面と前記原稿台の前記側面とが交わる位置である前記原稿台の角部から離れた位置に誘導する、
ことを特徴とする画像読取装置。
【請求項７】
媒体に記録を行う記録手段と、
請求項１から請求項６のいずれか一項に記載された画像読取装置と、
を備える、
ことを特徴とする記録装置。
【発明の詳細な説明】
【技術分野】
【０００１】
本発明は、スキャナーに代表される画像読取装置及び該画像読取装置を備える記録装置に関する。
【背景技術】
【０００２】
画像読取装置としてのスキャナー、その中でも特に原稿台ガラスの下を読み取り手段としての読取センサーが移動しながら原稿の読取を行う所謂フラットベッド型のスキャナーでは、一般に特許文献１に示されるように、原稿台ガラスの周囲が枠部材（フレーム）で構成され、この枠部材の内側が原稿読み取り領域として設定されているものがある。
【先行技術文献】
【特許文献】
【０００３】
【特許文献１】特開２００９−２３７３９０号公報
【発明の概要】
【発明が解決しようとする課題】
【０００４】
原稿台ガラスに原稿を載置して読み取りを行った後、原稿を取り除く際、ユーザーは原稿台ガラスに沿って原稿を滑らせて取り除く場合がある。  
このとき、原稿が原稿台ガラスの周囲の枠部材（フレーム）に引っ掛かり、原稿のエッジに折れ曲がりを招く虞がある。また、原稿台ガラス上の塵埃が原稿のエッジで掻き取られ、その塵埃が枠部材（フレーム）への原稿エッジの引っ掛かりに起因して原稿台ガラスと枠部材（フレーム）との間に入り込む虞もある。  
上述の特許文献１記載の画像読取装置では、この様な技術的課題は考慮されていなかった。
【０００５】
そこで本発明はこの様な状況に鑑みなされたものであり、その目的は、原稿台から原稿をより容易に取り除くことのできる画像読取装置を提供することにある。
【課題を解決するための手段】
【０００６】
上記課題を解決する為の、本発明の第１の態様に係る画像読取装置は、原稿を載置する第１面と当該第１面に対し反対側の第２面とを有する原稿台と、前記第１面に載置された原稿を前記第２面側から読み取る読取手段と、前記第１面の周囲を構成する四辺のうち一辺に対し配置されたフレームと、を備え、前記フレームの側面は、前記原稿台の側面と向き合っており、前記フレームの上面において前記フレームの側面に連なる領域は、前記第１面より高い位置から、前記原稿台の側面における、前記第１面よりも下側の位置に向かって下がる面で形成されていることを特徴とする。
【０００７】
本態様によれば、前記フレームの側面は、前記原稿台の側面と向き合っており、前記フレームの上面において前記フレームの側面に連なる領域は、前記第１面より高い位置から、前記原稿台の側面における、前記第１面よりも下側の位置に向かって下がる面で形成されているので、前記第１面に載置した原稿を前記フレーム側に滑らせて取り除く際、原稿のエッジが前記フレームの上面に円滑に案内される。その結果、原稿のエッジの前記フレームへの引っ掛かりを抑制でき、前記原稿台から原稿をより容易に取り除くことができる。
【０００８】
本発明の第２の態様は、第１の態様において、前記フレームの上面と前記フレームの側面とが交わる位置である前記フレームの角部が面取りされていることを特徴とする。  
本態様によれば、前記フレームの上面と前記フレームの側面とが交わる位置である前記フレームの角部が面取りされているので、前記第１面に載置した原稿を前記フレーム側に滑らせて取り除く際、原稿のエッジの前記フレームへの引っ掛かりをより一層抑制でき、ひいては前記原稿台から原稿をより一層容易に取り除くことができる。
【０００９】
本発明の第３の態様は、第１のまたは第２の態様において、前記原稿台の前記第１面と前記原稿台の前記側面とが交わる位置である前記原稿台の角部が面取りされていることを特徴とする。
【００１０】
本態様によれば、前記原稿台の前記第１面と前記原稿台の前記側面とが交わる位置である前記原稿台の角部が面取りされているので、原稿を前記フレームの側から前記原稿台に滑らせて載置する際、原稿のエッジの前記原稿台への引っ掛かりを抑制でき、原稿を円滑に前記原稿台に載置できる。
【００１１】
本発明の第４の態様は、第１から第３の態様のいずれかにおいて、前記原稿台を支持する原稿台支持部を備え、前記原稿台支持部は、前記第２面において前記原稿台の側面より内側を支持することを特徴とする。
【００１２】
本態様によれば、前記原稿台を支持する原稿台支持部を備え、前記原稿台支持部は、前記第２面において前記原稿台の側面より内側を支持するので、前記原稿台支持部と前記原稿台との位置関係がある程度ずれても、前記原稿台支持部によって前記原稿台を確実に支持できる。
【００１３】
本発明の第５の態様は、第４の態様において、前記フレームを支持するフレーム支持部を備え、前記原稿台支持部と前記第２面とを接着する接着シートが前記フレームと前記フレーム支持部との間に延在し、前記フレームと前記フレーム支持部とを接着することを特徴とする。
【００１４】
本態様によれば、前記フレームを支持するフレーム支持部を備え、前記原稿台支持部と前記第２面とを接着する接着シートが前記フレームと前記フレーム支持部との間に延在し、前記フレームと前記フレーム支持部とを接着するので、前記フレームと前記原稿台との位置関係がより安定し、上述した第１の態様の作用効果を安定して得ることができる。
【００１５】
本発明の第６の態様は、第１から第５の態様のいずれかにおいて、前記フレームの上面は、前記第１領域に連なり、前記第１領域を挟んで前記原稿台から遠い側に位置する第２領域を備え、前記第２領域は、当該第２領域に原稿が接しつつ前記原稿台に向けてスライドされる際に、スライド方向の原稿の先端を、前記原稿台の前記第１面と前記原稿台の前記側面とが交わる位置である前記原稿台の角部から離れた位置に誘導することを特徴とする。
【００１６】
本態様によれば、前記第２領域は、当該第２領域に原稿が接しつつ前記原稿台に向けてスライドされる際に、スライド方向の原稿の先端を、前記原稿台の前記第１面と前記原稿台の前記側面とが交わる位置である前記原稿台の角部から離れた位置に誘導するので、前記フレームの上面に沿って原稿を前記原稿台にスライドさせる際、スライド方向の原稿の先端が前記角部に引っ掛かり難く、前記原稿台に原稿を容易にセットすることができる。
【００１７】
本発明の第７の態様における記録装置は、媒体に記録を行う記録手段と、第１の態様から第６の態様のいずれかの画像読取装置とを備える。本態様によれば、上記構成において、第１から第６の態様のいずれかと同様な作用効果が得られる。
【図面の簡単な説明】
【００１８】
【図１】本実施例に係るプリンターの外観斜視図。
【図２】本実施例に係るプリンターにおける媒体搬送経路の側断面図。
【図３】本実施例に係る画像読取部の斜視図。
【図４】本実施例に係る画像読取部の斜視図。
【図５】図４におけるＡ−Ａ断面線の断面図。
【図６】第１の原稿台とフレームとの境目の拡大図。
【図７】第２の原稿台及びＡＤＦの側断面図。
【図８】第２の原稿台及び原稿押さえ板の側断面図。
【図９】フレームの第２領域の変更例を示すフレーム及び第１の原稿台の側断面図。
【図１０】フレームの第２領域の変更例を示すフレーム及び第１の原稿台の側断面図。
【発明を実施するための形態】
【００１９】
以下、本発明の実施の形態を図面に基づいて説明する。尚、各実施例において同一の構成については、同一の符号を付し、最初の実施例においてのみ説明し、以後の実施例においてはその構成の説明を省略する。
【００２０】
図１は本実施例に係るプリンターの外観斜視図であり、図２は本実施例に係るプリンターにおける媒体搬送経路の側断面図であり、図３は本実施例に係る画像読取部の斜視図であり、図４は本実施例に係る画像読取部の斜視図である。
【００２１】
図５は図４におけるＡ−Ａ断面線の断面図であり、図６は第１の原稿台とフレームとの境目の拡大図であり、図７は第２の原稿台及びＡＤＦの側断面図であり、図８は第２の原稿台及び原稿押さえ板の側断面図であり、図９はフレームの第２領域の変更例を示すフレーム及び第１の原稿台の側断面図であり、図１０はフレームの第２領域の変更例を示すフレーム及び第１の原稿台の側断面図である。
【００２２】
また、各図において示すＸ−Ｙ−Ｚ座標系はＸ方向がキャリッジの主走査方向（移動方向）、すなわち記録装置の幅方向、Ｙ方向が記録装置の奥行き方向、Ｚ方向が装置高さ方向を示している。尚、各図において＋Ｘ方向側を装置幅方向左方側とし、−Ｘ方向側を装置幅方向右方側とし、＋Ｙ方向を装置前面側とし、−Ｙ方向側を装置背面側とし、＋Ｚ軸方向側を装置上方側とし、−Ｚ軸方向側を装置下方側とする。
【００２３】
■■■プリンターの概要■■■■■■■
図１を参照するに、本発明に係るプリンター複合機１０が示されている。プリンター複合機１０は、装置本体１２と画像読取装置１４とを備えている。尚、プリンター複合機１０は、記録装置の一例としてインクジェットプリンターとして説明するが、レーザープリンター等のラインヘッドを有する記録装置であってもよい。また、画像読取装置１４には、スキャナーやＦＡＸ等が含まれる。
【００２４】
装置本体１２は、装置奥行き方向前面側に設けられた操作部１６と、装置奥行き方向前面側において操作部１６の装置高さ方向下方側に形成された排出口１８とを備えている。また、操作部１６は、プリンター複合機１０を操作するための電源ボタンや印刷設定ボタン、表示パネル等を備えて構成されている。排出口１８の下部には、後述する記録ヘッド２０により記録が実行された媒体を受ける排出トレイ２２が設けられている。排出トレイ２２は、一例として図２に示すように複数の部材により装置奥行き方向に伸縮可能に構成されている。
【００２５】
また、装置本体１２において排出トレイ２２の装置高さ方向下方側には、複数の媒体収容部２４が設けられている。媒体収容部２４は、図示しないがその内部に複数の媒体を収納可能であり、装置本体１２の装置奥行き方向前面側から装置本体１２に対して装抜可能に構成されている。
【００２６】
媒体収容部２４の装置高さ方向上方側には、図示しない駆動源によって回転駆動される給送ローラー２６が設けられている。そして、給送ローラー２６は、媒体収容部２４に収容された媒体を搬送経路下流側に給送する際、媒体収容部２４に収容された媒体の最上位のものと接して回転することにより、当該最上位の媒体を媒体収容部２４から搬送経路下流側へ送り出す。
【００２７】
給送ローラー２６の給送方向下流側には、第１搬送ローラー２８及び第２搬送ローラー３０が設けられている。また、第１搬送ローラー２８及び第２搬送ローラー３０には、不図示の従動ローラーが従動回転するように複数設けられている。また、第１搬送ローラー２８及び第２搬送ローラー３０の搬送方向下流側には搬送ローラー対３２が設けられている。
【００２８】
また、搬送ローラー対３２の搬送方向下流側には、キャリッジ３４が設けられている。キャリッジ３４は、不図示の駆動手段により装置幅方向に往復動可能に構成されている。そして、キャリッジ３４の下部には、「記録手段」としての記録ヘッド２０が設けられている。記録ヘッド２０は、その下面に複数のノズルが形成されており、媒体に向けてインクを吐出可能に構成されている。また、キャリッジ３４の搬送方向下流側には、排出ローラー対３６が設けられている。
【００２９】
ここで、給送ローラー２６により媒体収容部２４から送り出された媒体は、第１搬送ローラー２８、第２搬送ローラー３０及び搬送ローラー対３２を経て、記録ヘッド２０と対向する領域に搬送される。そして、記録ヘッド２０により記録が実行された後、媒体は排出ローラー対３６により排出口１８を経て、装置奥行き方向前面側に突出している排出トレイ２２に排出される。
【００３０】
■■■画像読取装置の概要■■■■■■■
次いで、図１、図３及び図４を参照して、画像読取装置１４について説明する。画像読取装置１４は、オートドキュメントフィーダー部（以下、ＡＤＦ部）３８と、画像読取部４０とを備えている。ＡＤＦ部３８は、装置本体１２の上部に当該装置本体１２に対して回動可能に設けられている。ＡＤＦ部３８は装置本体１２の背面側（図１において装置奥行き方向背面側）を回動軸の支点として装置本体１２の上部に対して開閉可能に構成されている。尚、図１において符号３８′が付された二点鎖線部は、ＡＤＦ部３８を装置本体１２に対して回動させた状態を示している。
【００３１】
また、装置本体１２の上部には、装置本体１２に対して閉じた状態にあるＡＤＦ部３８と対向する位置に画像読取部４０（図３及び図４参照）が設けられている。尚、本実施例における「原稿」とは、写真や文書等の原稿を一例とする。
【００３２】
画像読取部４０について説明する。画像読取部４０は、図３及び図４に示すように装置本体１２の上部に設けられている。画像読取部４０は、「読取手段」としての画像読取機構４２と、「原稿台」としての第１の原稿台４４と、第２の原稿台４６と、フレーム部材４８を備えている。画像読取機構４２は図示しない駆動機構によりＸ軸方向に移動可能に構成されている。また、画像読取機構４２は図４におけるＹ軸方向に延びる、画像読み取りのための光学検出器４２ａ（図５）を備えている。
【００３３】
また、図３及び図４に示すように画像読取部４０において、装置本体１２の上部を覆うフレーム部材４８には第１の開口部４８ａと第２の開口部４８ｂとが装置幅方向に沿って並列に形成されている。そして、第１の開口部４８ａには、第１の原稿台４４が配置され、第２の開口部４８ｂには、第２の原稿台４６が配置されている。第１の原稿台４４及び第２の原稿台４６は平坦かつ透明なガラス板で構成されている。
【００３４】
＜＜＜第１の原稿台について＞＞＞
本実施例においてフレーム部材４８は、第１の原稿台４４の四辺を取り囲むように形成されている。具体的には図３に示すように、フレーム部材４８は、第１の原稿台４４において装置奥行き方向前面側に接する、「フレーム」としての前面側フレーム部４８ｃと、第１の原稿台４４において装置奥行き方向背面側に接する背面側フレーム部４８ｄと、第１の原稿台４４において装置幅方向右方側に接する右方側フレーム部４８ｅと、第１の原稿台４４において装置幅方向左方側に接する左方側フレーム部４８ｆとを備えている。
【００３５】
ここで、図５を参照するに、第１の原稿台４４は、装置高さ方向において上面側が原稿Ｐを載置する第１面４４ａに設定され、第１面４４ａと反対側の面、すなわち下面側が第２面４４ｂとして設定されている。そして、本実施例では、第１の原稿台４４と接するフレーム部材４８の背面側フレーム部４８ｄ、右方側フレーム部４８ｅ及び左方側フレーム部４８ｆの各上面は、装置高さ方向において第１の原稿台４４の第１面４４ａよりも上方に位置するように設定されている（図５参照）。つまり、第１の原稿台４４の装置奥行き方向側の背面側端部、装置幅方向右方側端部、装置幅方向左方側端部の３辺において第１の原稿台４４を取り囲むフレーム部材４８は第１面４４ａよりも一段高くなるように設定されている。
【００３６】
ここで、原稿Ｐは、ＡＤＦ部３８を装置本体１２に対して装置背面側に回動させた状態で第１の原稿台４４にセットされる、あるいは第１の原稿台４４から取り出される。そして、第１面４４ａ上に原稿Ｐを載置した際、背面側フレーム部４８ｄと右方側フレーム部４８ｅ、あるいは背面側フレーム部４８ｄと左方側フレーム部４８ｆに原稿Ｐを突き当てて位置決めすることができる。一例として、図３に示すように、第１の原稿台４４の第１面４４ａ上において原稿Ｐを背面側フレーム部４８ｄと左方側フレーム部４８ｆとが交差する角部に突き当てることで、原稿を読み取るための基準位置の位置だしが行われる。本実施例では、一例として背面側フレーム部４８ｄと左方側フレーム部４８ｆとが交差する角部が原稿Ｐのセット基準位置に設定されている。また、後述するが原稿Ｐを第１の原稿台４４から取り出す場合、一例として装置奥行き方向背面側から前面側に向けて原稿Ｐを滑らせて取り出す。
【００３７】
また、画像読取機構４２の光学検出器４２ａは、装置奥行き方向に沿って延設され、第１の原稿台４４の第２面と対向するように配置されている。そして、光学検出器４２ａは、第１の原稿台４４の第１面４４ａに載置された原稿Ｐの読み取り面を第２面４４ｂ側から読み取るように構成されている。尚、光学検出器４２ａは、一例として、第１の原稿台４４に載置された原稿Ｐに光を照射し、該原稿からの反射光を受光して原稿の情報を読み取る光学ユニットとして構成され、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学ユニットとして構成される。
【００３８】
次いで、図５及び図６を参照して、前面側フレーム部４８ｃについて説明する。前面側フレーム部４８ｃは、装置奥行き方向において背面側、すなわち第１の原稿台４４に接する第１領域４８ｇと、第１領域４８ｇに対して装置奥行き方向前面側に位置する第２領域４８ｈとを備えている。
【００３９】
第２領域４８ｈは、一例として第１の原稿台４４の第１面４４ａよりも装置高さ方向上方側に位置する平面として形成されている。尚、図６に示す符号Ｚ１が付された二点鎖線は第１面４４ａの装置高さ方向における位置を示している。そして、第１領域４８ｇは、第２領域４８ｈから装置奥行き方向背面側かつ装置高さ方向下方側に向かって延びる傾斜面として構成されている。そして、傾斜面として構成された第１領域４８ｇの装置奥行き方向背面側端部の側面４８ｊは、装置高さ方向において第１の原稿台４４の第１面４４ａ、すなわち装置高さ方向における位置Ｚ１よりも下方に位置している。
【００４０】
つまり、前面側フレーム部４８ｃの上面を構成する第２領域４８ｈから前面側フレーム部４８ｃの装置奥行き方向背面側の側面４８ｊに連なる領域である第１領域４８ｇは、装置高さ方向において第１面４４ａよりも高い位置から第１の原稿台４４の側面４４ｃにおける第１面４４ａの位置Ｚ１よりも下側の位置に向かって下がる面として構成されている。尚、図６に示すように前面側フレーム部４８ｃの側面４８ｊは第１の原稿台４４の側面４４ｃと向き合っており、側面４８ｊと側面４４ｃとは接している。
【００４１】
また、図６に示すように、前面側フレーム部４８ｃの側面４８ｊの装置高さ方向上端部及び下端部の角部は面取りが施されている。一例として、側面４８ｊの装置高さ方向上端部及び下端部の角部はＲ面として形成されているが、Ｃ面として形成されていてもよい。
【００４２】
また、同様に第１の原稿台４４の側面４４ｃの装置高さ方向上端部及び下端部の角部にも面取りが施されている。一例として、側面４４ｃの装置高さ方向上端部及び下端部の角部はＲ面として形成されているが、Ｃ面として形成されていてもよい。
【００４３】
図６において、前面側フレーム部４８ｃ側から第１の原稿台４４に向けて延びる一点鎖線の矢印Ｓ１は、原稿Ｐが第２領域４８ｈの上面に接しつつ第１の原稿台４４に向けてスライドされる際に原稿先端が向かう方向を示している。矢印Ｓ１を参照するに、原稿Ｐは、第１の原稿台４４の第１面４４ａよりも装置高さ方向において高い位置に設定されている第２領域４８ｈから、原稿Ｐの腰（剛性）も相俟って第１領域４８ｇ及び第１の原稿台４４の側面４４ｃの上部の角部４４ｄから離れた位置（角部４４ｄの上方）に誘導され、角部４４ｄを超えて（接することなく）、第１の原稿台４４上に進むことができる。このようにして、原稿Ｐの先端の角部４４ｄへの引っ掛かりを抑制し、原稿Ｐを円滑に第１の原稿台４４の第１面４４ａ上に円滑にセットすることができる。
【００４４】
尚、第１の原稿台４４において装置奥行き方向前面側の側面４４ｃの上部の角部４４ｄは面取りが施されているので、仮に原稿Ｐの先端が角部４４ｄに当接しても、原稿Ｐの先端が第１の原稿台４４の側面４４ｃの上端部に引っ掛かることを抑制できる。
【００４５】
次いで、図６において、第１の原稿台４４から前面側フレーム部４８ｃ側に向けて延びる二点鎖線の矢印Ｓ２は、第１の原稿台４４から原稿Ｐを取り出す方向を示している。矢印Ｓ２を参照するに、原稿Ｐは、第１の原稿台４４の第１面４４ａから前面側フレーム部４８ｃ側の第１領域４８ｇに沿って装置奥行き方向前面側に移動させられ、第１の原稿台４４から取り出される。
【００４６】
この際、前面側フレーム部４８ｃ側の第１領域４８ｇの側面４８ｊの上端部は、第１面４４ａよりも装置高さ方向下方側に位置しているので、原稿Ｐを第１面４４ａ上を滑らせて装置奥行き方向前面側に移動させた際、原稿Ｐのエッジが側面４８ｊに引っ掛かることを抑制でき、原稿Ｐを第１の原稿台４４の第１面４４ａ上から第１領域４８ｇに円滑に移動させることができる。その結果、原稿Ｐを第１の原稿台４４から円滑に取り出すことができる。また、側面４８ｊの上端部に面取りが施されているので、原稿Ｐが側面４８ｊに引っ掛かることをより低減することができる。
【００４７】
再度、図５を参照するに、第１の原稿台４４の側面４４ｃの装置高さ方向下方には原稿台支持部５０が設けられている。本実施例において原稿台支持部５０は、装置奥行き方向において側面４４ｃよりも第１の原稿台４４の内側において第１の原稿台４４を第２面４４ｂの側から支持している。また、第１の原稿台４４の第２面４４ｂと原稿台支持部５０との間には、接着シート５２が配置されている。接着シート５２は、第１の原稿台４４の第２面４４ｂと原稿台支持部５０とを接着している。尚、本実施例において接着シート５２は、一例として両面に接着剤又は粘着材料が塗布、あるいは貼付けされた、所謂両面テープ状に形成されている。
【００４８】
また、本実施例では、装置奥行き方向において側面４４ｃよりも第１の原稿台４４の内側の位置で第１の原稿台４４を原稿台支持部５０により支持させる構成としたので、画像読取部４０の内部にゴミや埃等が侵入することを抑制できる。さらに、装置高さ方向において第１の原稿台４４と原稿台支持部５０と間に接着シート５２を介在させているので、ゴミや埃等の侵入をより低減できる。
【００４９】
また、装置高さ方向において前面側フレーム部４８ｃの下方には、フレーム支持部５４が設けられている。また、装置高さ方向において前面側フレーム部４８ｃとフレーム支持部５４との間には、接着シート５２が介在している。本実施例では、接着シート５２は、装置奥行き方向に沿って延びており、第１の原稿台４４の第２面４４ｂと原稿台支持部５０とを接着するだけでなく、前面側フレーム部４８ｃとフレーム支持部５４とを接着している。尚、図６において、フレーム支持部５４の図示を省略している。
【００５０】
＜＜＜第２の原稿台及びＡＤＦ部について＞＞＞
次いで、図１、図７及び図８を参照して、ＡＤＦ部３８および第２の原稿台４６について説明する。図１に示すようにＡＤＦ部３８は、媒体セットトレイ部５６と、給送部５８と、媒体排出トレイ部６０とを備えている。媒体セットトレイ部５６には、複数枚の原稿Ｐがセット可能に構成されている。そして、媒体セットトレイ部５６にセットされた原稿Ｐは、給送部５８により、第２の原稿台４６に向けて湾曲反転させられながら送られる。そして、第２の原稿台４６において画像読取機構４２により原稿Ｐの読み取り面を読み取られた後、媒体排出トレイ部６０に向けて排出される。
【００５１】
図７を参照するに、ＡＤＦ部３８を用いて原稿Ｐの画像を読み取る際、画像読取機構４２は第２の原稿台４６の装置高さ方向下方側に移動して、第２の原稿台４６を介して原稿Ｐの読み取り面を読み取る状態となる。
【００５２】
また、媒体セットトレイ部５６から送られた原稿Ｐは、搬送ガイド部材６２に沿って搬送ローラー６４により搬送方向下流側の第２の原稿台４６に向けて送られる。第２の原稿台４６において搬送方向上流側の部位には、両面テープを介して汚れ防止シート６６が貼り付けられている。尚、汚れ防止シート６６は、原稿Ｐが接触しながら搬送方向下流側に送られることで、原稿Ｐの読み取り面に付着したのり等の粘着材やゴミ等が第２の原稿台４６に付着することを抑制することができる。
【００５３】
また、ＡＤＦ部３８において第２の原稿台４６と対向する位置、すなわち装置高さ方向上方側には、原稿押さえ部材６８が設けられている。図８に示すように原稿押さえ部材６８は付勢部材７０により第２の原稿台４６に向けて付勢されている。尚、本実施例において、付勢部材７０はコイルばねとして構成されている。尚、図７において付勢部材７０の図示を省略している。
【００５４】
図８を参照するに、原稿押さえ部材６８において原稿Ｐの搬送方向上流側の部位６８ａは汚れ防止シート６６と接触し、原稿Ｐの搬送方向下流側の部位６８ｂは第２の原稿台４６と接触している。ここで、図８における一点鎖線Ｓ３は付勢部材７０の中心軸線を示している。そして、本実施例では、付勢部材７０の中心位置から原稿押さえ部材６８の搬送方向上流側の部位６８ａまでの距離はＬ１に設定されている。一方で、付勢部材７０の中心位置から原稿押さえ部材６８の搬送方向下流側の部位６８ｂまでの距離はＬ２に設定されている。そして、距離Ｌ１は距離Ｌ２よりも小さく設定されている。
【００５５】
そして、原稿押さえ部材６８の上流側の部位６８ａに作用する付勢部材７０の付勢力をＦ１とし、原稿押さえ部材６８の下流側の部位６８ｂに作用する付勢部材７０の付勢力をＦ２とすると、付勢部材７０の中心位置からの距離が近いほど付勢力が強くなるので、付勢力Ｆ２より付勢力Ｆ１の方が大きくなる。つまり、原稿押さえ部材６８が汚れ防止シート６６を付勢する付勢力Ｆ１のほうが、原稿押さえ部材６８が第２の原稿台４６を付勢する付勢力Ｆ２よりも大きくなる。
【００５６】
従って、原稿押さえ部材６８における付勢部材７０の付勢力は、搬送方向上流側の方が大きいので、原稿Ｐの読み取り面を確実に第２の原稿台４６に押し付けることができる。その結果、画像読取機構４２による原稿Ｐの読み取りを確実に行うことが出来る。
【００５７】
一方で、原稿押さえ部材６８における付勢部材７０の付勢力は、搬送方向下流側の方が小さいので、画像読取機構４２による原稿Ｐの読み取り後において原稿Ｐの搬送を妨げることを抑制できる。その結果、原稿Ｐが原稿押さえ部材６８を通過する際の負荷変動を小さくでき、原稿Ｐを円滑に媒体排出トレイ部６０に向けて搬送することができる。
【００５８】
（１）本実施例において原稿台支持部５０は第１の原稿台４４の側面４４ｃよりも内側の位置で第１の原稿台４４を支持する構成としたが、この構成に代えて、側面４４ｃの下方を原稿台支持部５０により支持する構成としてもよい。
（２）本実施例において、前面側フレーム部４８ｃにおいて第１領域４８ｇを装置背面側に向かうにつれて装置高さ方向下方側に延びる下向きの直線状の傾斜面として構成したが、この構成に代えて、装置背面側に向かうにつれて装置高さ方向下方側に延びる曲面として構成してもよく、直線状の傾斜面と曲面とを組み合わせてもよい。すなわち、第１の原稿台４４から装置奥行き方向前面側に向けて原稿Ｐを取り出す際、原稿Ｐのエッジが第１領域４８ｇにおいて引っ掛からないように装置高さ方向上方側に案内される形状であればよい。
（３）本実施例において、右方側フレーム部４８ｅ及び左方側フレーム部４８ｆを第１の原稿台４４の第１面４４ａよりも装置高さ方向上方側に位置させて原稿Ｐのエッジを突き当てる構成としたが、この構成に代えて、装置幅方向における原稿Ｐのセット位置の基準とならない側のフレームについては、前面側フレーム部４８ｃと同じ構成としてもよい。この場合、前面側フレーム部４８ｃと同じ構成とした側のフレームからも原稿Ｐを円滑に取り出すことができる。
【００５９】
（４）また、第２領域４８ｈは、一例として第１の原稿台４４の第１面４４ａよりも装置高さ方向上方側に位置する平面として形成したが、この構成に代えて、図９に示すように第２領域４８ｈを装置奥行き方向前面側から第１の原稿台４４の第１面４４ａに向けて下る傾斜面として構成してもよい。この構成において、第２領域４８ｈは、第１領域４８ｇに比べて第１面４４ａに対する傾斜角が緩めに設定されている。本実施例においても、第２領域４８ｈから第１面４４ａに原稿Ｐをセットする際、一点鎖線の矢印Ｓ１に示すように原稿Ｐの腰で前面側フレーム部４８ｃ側の第１領域４８ｇ及び第１の原稿台４４の側面４４ｃを超えて（接することなく）第１の原稿台４４上に進むことができる。
【００６０】
（５）次いで、図１０を参照するに、第２領域４８ｈを装置奥行き方向前面側から第１領域４８ｇの頂部に向けて上る傾斜面として構成してもよい。このように構成しても、第２領域４８ｈから、第１面４４ａに原稿Ｐをセットする際、一点鎖線の矢印Ｓ１に示すように原稿Ｐの腰で前面側フレーム部４８ｃ側の第１領域４８ｇ及び第１の原稿台４４の側面４４ｃを超えて（接することなく）第１の原稿台４４上に進むことができる。
【００６１】
上記説明をまとめると、画像読取装置１４は、原稿Ｐを載置する第１面４４ａと当該第１面４４ａに対し反対側の第２面４４ｂとを有する第１の原稿台４４と、第１面４４ａに載置された原稿Ｐを第２面４４ｂ側から読み取る画像読取機構４２と、第１面４４ａの周囲を構成する四辺のうち一辺である装置奥行き方向前面側の辺に対し配置された前面側フレーム部４８ｃと、を備え、前面側フレーム部４８ｃの側面４８ｊは、第１の原稿台４４の側面４４ｃと向き合っており、前面側フレーム部４８ｃの上面において前面側フレーム部４８ｃの側面４８ｊに連なる第１領域４８ｇは、第１面４４ａより高い位置から、第１の原稿台４４の側面４４ｃにおける、第１面４４ａよりも下側の位置に向かって下がる面で形成されている。
【００６２】
上記構成によれば、前面側フレーム部４８ｃの側面４８ｊは、第１の原稿台４４の側面４４ｃと向き合っており、前面側フレーム部４８ｃの上面において前面側フレーム部４８ｃの側面４８ｊに連なる第１領域４８ｇは、第１面４４ａより高い位置から、第１の原稿台４４の側面４４ｃにおける、第１面４４ａよりも下側の位置に向かって下がる面で形成されているので、第１面４４ａに載置した原稿Ｐを前面側フレーム部４８ｃ側に滑らせて取り除く際、原稿Ｐのエッジが前面側フレーム部４８ｃの上面に円滑に案内される。その結果、原稿Ｐのエッジの前面側フレーム部４８ｃへの引っ掛かりを抑制でき、第１の原稿台４４から原稿Ｐをより容易に取り除くことができる。
【００６３】
前面側フレーム部４８ｃの第１領域４８ｇと前面側フレーム部４８ｃの側面４８ｊとが交わる位置である前面側フレーム部４８ｃの装置奥行き方向側端部の角部が面取りされている。この構成によれば、第１面４４ａに載置した原稿Ｐを前面側フレーム部４８ｃ側に滑らせて取り除く際、原稿Ｐのエッジの前面側フレーム部４８ｃへの引っ掛かりをより一層抑制でき、ひいては第１の原稿台４４から原稿Ｐをより一層容易に取り除くことができる。
【００６４】
第１の原稿台４４の第１面４４ａと第１の原稿台４４の側面４４ｃとが交わる位置である第１の原稿台４４の装置奥行き方向前面側端部の角部が面取りされている。この構成によれば、原稿Ｐを前面側フレーム部４８ｃの側から第１の原稿台４４に滑らせて載置する際、原稿Ｐのエッジの第１の原稿台４４への引っ掛かりを抑制でき、原稿Ｐを円滑に第１の原稿台４４に載置できる。
【００６５】
第１の原稿台４４を支持する原稿台支持部５０を備え、原稿台支持部５０は、第２面４４ｂにおいて第１の原稿台４４の側面４４ｃより内側を支持する。この構成によれば、原稿台支持部５０と第１の原稿台４４との位置関係がある程度ずれても、原稿台支持部５０によって第１の原稿台４４を確実に支持できる。
【００６６】
前面側フレーム部４８ｃを支持するフレーム支持部５４を備え、原稿台支持部５０と第２面４４ｂとを接着する接着シート５２が前面側フレーム部４８ｃとフレーム支持部５４との間に延在し、前面側フレーム部４８ｃとフレーム支持部５４とを接着する。この構成によれば、前面側フレーム部４８ｃと第１の原稿台４４との位置関係がより安定する。
【００６７】
前面側フレーム部４８ｃの上面は、第１領域４８ｇに連なり、第１領域４８ｇを挟んで第１の原稿台４４から遠い側に位置する第２領域４８ｈを備え、第２領域４８ｈは、当該第２領域４８ｈに原稿Ｐが接しつつ第１の原稿台４４に向けてスライドされる際に、スライド方向の原稿Ｐの先端を、第１の原稿台４４の第１面４４ａと第１の原稿台４４の側面４４ｃとが交わる位置である第１の原稿台４４の角部４４ｄから離れた位置に誘導する。この構成によれば、前面側フレーム部４８ｃの上面に沿って原稿Ｐを第１の原稿台４４にスライドさせる際、スライド方向の原稿Ｐの先端が角部４４ｄに引っ掛かり難く、第１の原稿台４４に原稿Ｐを容易にセットすることができる。
【００６８】
プリンター複合機１０は、媒体に記録を行う記録ヘッド２０と、上記説明した画像読取装置１４とを備える。
【００６９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７０】
１０…プリンター複合機、１２…装置本体、１４…画像読取装置、１６…操作部、１８…排出口、２０…記録ヘッド、２２…排出トレイ、２４…媒体収容部、２６…給送ローラー、２８…第１搬送ローラー、３０…第２搬送ローラー、３２…搬送ローラー対、３４…キャリッジ、３６…排出ローラー対、３８…ＡＤＦ部、４０…画像読取部、４２…画像読取機構、４２ａ…光学検出器、４４…第１の原稿台、４４ａ…第１面、４４ｂ…第２面、４４ｃ、４４ｄ…角部、４８ｊ…側面、４６…第２の原稿台、４８…フレーム部材、４８ａ…第１の開口部、４８ｂ…第２の開口部、４８ｃ…前面側フレーム部、４８ｄ…背面側フレーム部、４８ｅ…右方側フレーム部、４８ｆ…左方側フレーム部、４８ｇ…第１領域、４８ｈ…第２領域、５０…原稿台支持部、５２…接着シート、５４…フレーム支持部、５６…媒体セットトレイ部、５８…給送部、６０…媒体排出トレイ部、６２…搬送ガイド部材、６４…搬送ローラー、６６…汚れ防止シート、６８…原稿押さえ部材、６８ａ…上流側の部位、６８ｂ…下流側の部位、７０…付勢部材、Ｆ１、Ｆ２…付勢力、Ｌ１、Ｌ２…距離、Ｐ…原稿、Ｓ１、Ｓ２…矢印、Ｓ３…一点鎖線、Ｚ１…第１の原稿台の高さ位置
【図１】
2018085564.tif 000003
【図２】
2018085564.tif 000004
【図３】
2018085564.tif 000005
【図４】
2018085564.tif 000006
【図５】
2018085564.tif 000007
【図６】
2018085564.tif 000008
【図７】
2018085564.tif 000009
【図８】
2018085564.tif 000010
【図９】
2018085564.tif 000011
【図１０】
2018085564.tif 000012